【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
テープ送り経路に沿って処理テープを送る送り手段と、前記送り手段により送られてゆく前記処理テープに対し、墨字印刷を行う墨字印刷手段と、点字打刻を行う点字打刻手段と、を備え、
入力情報に基づいて前記処理テープに対し、墨字ラベルを作成する墨字ラベル作成処理と、点字ラベルを作成する点字ラベル作成処理と、墨字と点字の複合ラベルを作成する墨字点字複合ラベル作成処理と、から成るテープ処理を選択的に行うラベル作成処理装置であって、
前記墨字ラベル作成処理と、前記点字ラベル作成処理と、前記墨字点字複合ラベル作成処理と、のいずれかを選択するモード選択手段と、
前記送り手段を制御する送り制御手段と、を備え、
前記点字ラベル作成処理において、
前記点字打刻手段により前記点字打刻のみが行われる場合に、前記送り制御手段は、前記処理テープの点字打刻領域が前記墨字印刷手段を通過するときのテープ送り速度を、前記墨字ラベル作成処理における墨字印刷処理中のテープ送り速度である印刷送り速度より高速となるように制御すること、を特徴とするラベル作成処理装置。
【請求項２】
前記処理テープを、前記点字打刻手段に手差しで挿入するための打刻テープ挿入口と、
前記点字打刻領域の外側に前記手差しの挿入方向を指標する指標情報を印刷するための情報印刷領域を設定する情報印刷領域設定手段と、を更に備え、
前記点字ラベル作成処理において、
前記印刷手段が、設定された前記情報印刷領域に前記指標情報を印刷する場合に、前記送り制御手段は、前記指標情報の印刷に伴って前記情報印刷領域が前記墨字印刷手段を通過するときのテープ送り速度を、前記印刷送り速度で制御することを特徴とする請求項１に記載のラベル作成装置。
【請求項３】
テープ送り経路に沿って処理テープを送る送り手段と、前記送り手段により送られてゆく前記処理テープに対し、墨字印刷を行う墨字印刷手段と、点字打刻を行う点字打刻手段と、を用い、
入力情報に基づいて前記処理テープに対し、墨字ラベルを作成する墨字ラベル作成処理と、点字ラベルを作成する点字ラベル作成処理と、墨字と点字の複合ラベルを作成する墨字点字複合ラベル作成処理と、から成るテープ処理を選択的に行うラベル作成装置の送り制御方法であって、
前記点字打刻のみを行う前記点字ラベル作成処理において、前記処理テープの点字打刻領域が前記墨字印刷手段を通過するときのテープ送り速度を、前記墨字ラベル作成処理における墨字印刷処理中のテープ送り速度である印刷送り速度より高速となるように制御すること、を特徴とするラベル作成装置の送り制御方法。
【請求項４】
前記点字打刻領域の外側に手差しの挿入方向を指標する指標情報を印刷するための情報印刷領域が設定され、
前記点字ラベル作成処理において、
設定された前記情報印刷領域に前記指標情報を印刷する場合に、前記指標情報の印刷を伴って前記情報印刷領域が前記墨字印刷手段を通過するときのテープ送り速度を、前記印刷送り速度で制御すること、を特徴とする請求項３に記載のラベル作成装置の送り制御方法。
【請求項５】
コンピュータを、請求項１に記載のラベル作成装置における各手段として機能させるためのプログラム。
【手続補正２】
【補正対象書類名】明細書
【補正対象項目名】発明の名称
【補正方法】変更
【補正の内容】
【発明の名称】ラベル作成装置、ラベル作成装置の送り制御方法およびプログラム
【手続補正３】
【補正対象書類名】明細書
【補正対象項目名】０００１
【補正方法】変更
【補正の内容】
【０００１】
本発明は、テープ送りに伴って処理テープ上の墨字印刷と点字打刻とを行うラベル作成装置、ラベル作成装置の送り制御方法およびプログラムに関するものである。
【手続補正４】
【補正対象書類名】明細書
【補正対象項目名】０００６
【補正方法】変更
【補正の内容】
【０００６】
そこで本発明は、点字打刻処理における時間効率を高めることができるラベル作成装置、ラベル作成装置の送り制御方法およびプログラムを提供することを目的とする。
【手続補正５】
【補正対象書類名】明細書
【補正対象項目名】０００７
【補正方法】変更
【補正の内容】
【０００７】
本発明のラベル作成装置は、テープ送り経路に沿って処理テープを送る送り手段と、送り手段により送られてゆく処理テープに対し、墨字印刷を行う墨字印刷手段と、点字打刻を行う点字打刻手段と、を備え、入力情報に基づいて処理テープに対し、墨字ラベルを作成する墨字ラベル作成処理と、点字ラベルを作成する点字ラベル作成処理と、墨字と点字の複合ラベルを作成する墨字点字複合ラベル作成処理と、から成るテープ処理を選択的に行うラベル作成処理装置であって、墨字ラベル作成処理と、点字ラベル作成処理と、墨字点字複合ラベル作成処理と、のいずれかを選択するモード選択手段と、送り手段を制御する送り制御手段と、を備え、点字ラベル作成処理において、点字打刻手段により点字打刻のみが行われる場合に、送り制御手段は、処理テープの点字打刻領域が墨字印刷手段を通過するときのテープ送り速度を、墨字ラベル作成処理における墨字印刷処理中のテープ送り速度である印刷送り速度より高速となるように制御すること、を特徴とする。
【手続補正６】
【補正対象書類名】明細書
【補正対象項目名】０００８
【補正方法】変更
【補正の内容】
【０００８】
本発明のラベル作成装置のテープ送り制御方法は、テープ送り経路に沿って処理テープを送る送り手段と、送り手段により送られてゆく処理テープに対し、墨字印刷を行う墨字印刷手段と、点字打刻を行う点字打刻手段と、を備え、テープ送り経路に沿って処理テープを送る送り手段と、前記送り手段により送られてゆく前記処理テープに対し、墨字印刷を行う墨字印刷手段と、点字打刻を行う点字打刻手段と、を用い、入力情報に基づいて処理テープに対し、墨字ラベルを作成する墨字ラベル作成処理と、点字ラベルを作成する点字ラベル作成処理と、墨字と点字の複合ラベルを作成する墨字点字複合ラベル作成処理と、から成るテープ処理を選択的に行うラベル作成装置の送り制御方法であって、点字打刻のみを行う点字ラベル作成処理において、処理テープの点字打刻領域が墨字印刷手段を通過するときのテープ送り速度を、墨字ラベル作成処理における墨字印刷処理中のテープ送り速度である印刷送り速度より高速となるように制御すること、を特徴とする。
【手続補正７】
【補正対象書類名】明細書
【補正対象項目名】００１０
【補正方法】変更
【補正の内容】
【００１０】
上記ラベル作成装置では、処理テープを、点字打刻手段に手差しで挿入するための打刻テープ挿入口と、点字打刻領域の外側に手差しの挿入方向を指標する指標情報を印刷するための情報印刷領域を設定する情報印刷領域設定手段と、を更に備え、点字ラベル作成処理において、印刷手段が、設定された情報印刷領域に指標情報を印刷する場合に、送り制御手段は、指標情報の印刷に伴って情報印刷領域が墨字印刷手段を通過するときのテープ送り速度を、印刷送り速度で制御することが好ましい。
【手続補正８】
【補正対象書類名】明細書
【補正対象項目名】００１１
【補正方法】変更
【補正の内容】
【００１１】
上記テープ送り制御方法では、点字打刻領域の外側に手差しの挿入方向を指標する指標情報を印刷するための情報印刷領域が設定され、点字ラベル作成処理において、設定された情報印刷領域に指標情報を印刷する場合に、指標情報の印刷を伴って情報印刷領域が墨字印刷手段を通過するときのテープ送り速度を、印刷送り速度で制御することが好ましい。
【手続補正９】
【補正対象書類名】明細書
【補正対象項目名】００１５
【補正方法】変更
【補正の内容】
【００１５】
以下、添付の図面に基づいて、本発明の一実施形態に係るラベル作成装置について説明する。このラベル作成装置は、墨字印刷部と点字打刻部とを有し、墨字印刷部において、処理テープに墨字印刷を行い、その印刷済み部分をカットしてテープ片を得た後、これを点字打刻部に手差しで挿入し、点字打刻部において、テープ片に点字打刻を行うものである。
【手続補正１０】
【補正対象書類名】明細書
【補正対象項目名】００１６
【補正方法】変更
【補正の内容】
【００１６】
図１は、ラベル作成装置の閉蓋状態の外観斜視図であり、図２は、その開蓋状態の外観斜視図である。両図に示すように、ラベル作成装置１は、処理テープＴに対して墨字印刷を行うと共に、処理テープＴから得られたテープ片に対して点字打刻を行う装置本体１０と、処理テープＴおよびインクリボンＲを収容し、装置本体に着脱自在に装着されるテープカートリッジＣとを備えている。
【手続補正１１】
【補正対象書類名】明細書
【補正対象項目名】００２６
【補正方法】変更
【補正の内容】
【００２６】
次に、図３を参照し、打刻ユニット８０の詳細な構成について説明する。図３（ａ）は打刻ユニット８０を上側から見た平面図であり、図３（ｂ）は打刻ユニット８０の断面図である。
打刻ユニット８０は、送りローラ６１に対しテープ送り方向の上流側に配設され、挿入した処理テープＴの下側に配設した打刻部８１と、打刻部８１に対向する位置に設けられた打刻受け部８２とで構成されている。打刻部８１は、点字（６点点字）を構成する６個の打刻凸部のうち縦列３個の打刻凸部に対応して配列された３個の打刻ピン４１と、３個の打刻ピン４１の打刻動作を進退自在に案内する打刻ピンガイド４５と、駆動源となる３個のソレノイド４７と、を有している。
【手続補正１２】
【補正対象書類名】明細書
【補正対象項目名】００２７
【補正方法】変更
【補正の内容】
【００２７】
打刻受け部８２は、３個の打刻ピン４１に対応する３個の受け溝４３が形成される。テープ送りユニット６０により、処理テープＴを送りながら、３個のソレノイド４７を駆動源として３本の打刻ピン４１を受け溝４３に向かって選択的に跳ね上げて打刻動作をさせ、処理テープＴにいわゆる６点点字の打刻凸部を形成する。打刻ピン４１の頭部４１ａは、打刻した処理テープの凸部の形状が角の丸まった円筒形となるように形成されている。また、各打刻ピン４１の後部は、アーム部材４６の一端が半固定的に接続している。このアーム部材４６には、その他端にソレノイド４７のプランジャー４８の先端部が回動可能に接続していると共に、その中間部を回動自在に支持する支持部材４９が設けられている。
【手続補正１３】
【補正対象書類名】明細書
【補正対象項目名】００３２
【補正方法】変更
【補正の内容】
【００３２】
この制御により、処理テープＴに対し様々な処理をすることが可能となる。例えば、処理テープＴに墨字印刷をし、切断して処理テープＴ（テープ片）を得て、点字を打刻して、墨字印刷および点字打刻の両方がなされている処理テープＴ（テープ片）を得ることはもちろんのこと、点字打刻をせず、墨字印刷のみを行って、切断し、処理テープＴ（テープ片）を得ることもできる。また、処理テープＴを切断して処理テープＴ（テープ片）を得て、点字打刻のみ（実際には、墨字印刷を一切行わない場合と、後述する点字打刻部への挿入方向を印刷する場合とがある。）行うこともできる。なお、処理後の処理テープＴ（テープ片）は、墨字点字複合ラベル、墨字ラベル、点字ラベルとして、それぞれ貼着対称物に貼着される。
【手続補正１４】
【補正対象書類名】明細書
【補正対象項目名】００３３
【補正方法】変更
【補正の内容】
【００３３】
次に、図６、図７を参照して、墨字印刷と点字打刻の処理をする処理テープＴの書式（フォーマット）について説明する。
処理テープＴは、点字打刻部への挿入方向を示す挿入方向マーク（Ｆ１）と、点字の上下方向を示す上下方向マーク（Ｆ２）と、で構成される指標情報領域（ハーフカットしろ）Ｔｈを有すると共に、墨字印刷を行う墨字印刷領域Ｐと、点字打刻を行う点字打刻領域Ｂと、で構成される墨字点字領域Ｔｇを有している。また、ユーザは、テープ処理後に墨字点字複合ラベルを使用するときは、墨字点字領域Ｔｇが必要であり、指標情報領域Ｔｈは不要になる。このため、ユーザがテープ処理の終了後に、指標情報領域Ｔｈを容易に切り離すことができるため、且つ、処理テープＴの記録テープＴｂと剥離テープＴｅを剥がし易くするために、ハーフカット領域Ｈｃをハーフカッタ１４４で、処理テープＴの記録テープＴｂのみを切断している。
【手続補正１５】
【補正対象書類名】明細書
【補正対象項目名】００３４
【補正方法】変更
【補正の内容】
【００３４】
処理テープＴの点字書式には、上点字（図１２（ａ）参照）と下点字（図１３（ａ）参照）がある。上点字は、墨字点字領域Ｔｇの下側に墨字印刷領域Ｐと、上側に点字打刻領域Ｂとが配置され、指標情報領域Ｔｈは墨字点字領域Ｔｇの右側に配置される構成になっている（図１２（ａ）参照）。下点字は、墨字点字領域Ｔｇの上側に墨字印刷領域Ｐと、下側に点字打刻領域Ｂとが配置され、指標情報領域Ｔｈは墨字点字領域Ｔｇの左側に配置される構成になっている（図１３（ａ）参照）。
【手続補正１６】
【補正対象書類名】明細書
【補正対象項目名】００３５
【補正方法】変更
【補正の内容】
【００３５】
図６は、処理テープＴを点字打刻部１５０へ挿入する際の、点字書式が下点字の場合（図６（ａ）参照）と、点字書式が上点字の場合（図６（ｂ）参照）と、を説明したものである。点字書式が上点字あるいは下点字のいずれの場合も、墨字印刷部１２０で墨字Ｐと指標情報領域Ｔｈとを印刷後に、指標情報領域Ｔｈの矢印に従って、ユーザにより処理テープＴを点字打刻部１５０に挿入される（図６（ａ）、図６（ｂ）参照）。
【手続補正１７】
【補正対象書類名】明細書
【補正対象項目名】００４２
【補正方法】変更
【補正の内容】
【００４２】
テープ挿入指示に従って、ユーザにより処理テープＴが打刻テープ挿入口３１に挿入（手差し挿入）されると、点字打刻部１５０により点字打刻領域Ｂの打刻（点字打刻）を行った後（Ｓ１８）、打刻テープ排出口３２から打刻済み処理テープＴ（墨字点字複合ラベル）を排出し（Ｓ１９）、処理を終了する（Ｓ２７）。
【手続補正１８】
【補正対象書類名】明細書
【補正対象項目名】００４３
【補正方法】変更
【補正の内容】
【００４３】
また、第２処理モードの場合（Ｓ１３：（ｂ））、墨字印刷部１２０による墨字印刷の後（Ｓ２０）、テープカット・排出を行い（Ｓ２１）、処理を終了する（Ｓ２７）。すなわち、第２処理モードでは、図７（ｂ）に示すように、装着されたテープカートリッジＣから繰り出された処理テープＴが墨字印刷部１２０へ送られることによって墨字印刷領域Ｐを印刷する（墨字ラベル作成）。
【手続補正１９】
【補正対象書類名】明細書
【補正対象項目名】００４５
【補正方法】変更
【補正の内容】
【００４５】
テープ挿入指示に従って、ユーザにより処理テープＴが打刻テープ挿入口３１に挿入（手差し挿入）されると、点字打刻部１５０により点字打刻領域Ｂの打刻（点字打刻）を行った後（Ｓ２５）、打刻テープ排出口３２から打刻済み処理テープＴ（点字ラベル）を排出し（Ｓ２６）、処理を終了する（Ｓ２７）。
【手続補正２０】
【補正対象書類名】明細書
【補正対象項目名】００４７
【補正方法】変更
【補正の内容】
【００４７】
次に、レイアウト設定（Ｓ３０）では、テープ幅検出結果（Ｓ１１）および処理モード選択結果（Ｓ１３）に基づいて、主な設定として、処理テープＴ上における墨字印刷領域Ｐや点字打刻領域Ｂの相対位置や、各配置部の長さ（図外の印刷配置部長さ、打刻配置部長さ、共通配置部長さ等）など、一般的なテープ印刷装置やワープロ等と同様の設定が行われる。
【手続補正２１】
【補正対象書類名】明細書
【補正対象項目名】００５５
【補正方法】変更
【補正の内容】
【００５５】
図１１を参照して、第１処理モード（墨字点字複合）のテープ送り速度について説明する。指標情報領域Ｔｈと点字墨字領域Ｔｇとのテープ送り速度は、いずれも１０ｍｍ／ｓｅｃに設定されている。処理テープＴの処理時間は、指標情報領域Ｔｈ（図１１（１））は３秒、墨字点字領域Ｔｇ（図１１（２））は９秒であり、テープ処理の全体所要時間は１２ｓｅｃとなる（図１１（ａ）、（ｂ）参照）。なお、このテープ処理の所要時間は、テープ送り速度が一定であった、従来のテープ送り方法の所要時間と同じである。
【手続補正２２】
【補正対象書類名】明細書
【補正対象項目名】００５６
【補正方法】変更
【補正の内容】
【００５６】
次に、図１２を参照して、第３処理モード（点字のみ）の点字書式が上点字のときのテープ送り速度を説明する。指標情報領域Ｔｈのテープ送り速度は１０ｍｍ／ｓｅｃ、墨字点字領域Ｔｇのテープ送り速度は３０ｍｍ／ｓｅｃ、に設定されている。これにより処理テープＴの処理時間は、指標情報領域Ｔｈ（図１２（１））が３秒、墨字点字領域Ｔｇ（図１２（２））が３秒となり、テープ処理の全体所要時間は６ｓｅｃとなる（図１２（ａ）、（ｂ）参照）。なお、指標情報領域Ｔｈを設定しない場合には、テープ送り速度を全て３０ｍｍ／ｓｅｃに設定する。
【手続補正２３】
【補正対象書類名】明細書
【補正対象項目名】００５７
【補正方法】変更
【補正の内容】
【００５７】
次に、図１３を参照して、第３処理モード（点字のみ）の点字書式が下点字のときのテープ送り速度を説明する。墨字点字領域Ｔｇのテープ送り速度は３０ｍｍ／ｓｅｃ、指標情報領域Ｔｈのテープ送り速度は１０ｍｍ／ｓｅｃ、に設定されている。これにより処理テープＴの処理時間は、墨字点字領域Ｔｇ（図１３（１））が３秒、指標情報領域Ｔｈ（図１３（２））が３秒となり、テープ処理の全体所要時間は６ｓｅｃとなる（図１３（ａ）、（ｂ）参照）。なお、点字打刻におけるテープ送り速度は、テープＴの非点字打刻領域（図示せず）が打刻ユニット８０を通過するときの速度が２５ｍｍ／ｓｅｃであって、テープＴの点字打刻領域（図示せず）が打刻ユニット８０を通過するときの速度が１５ｍｍ／ｓｅｃとなるように制御することが好ましい。
このように、本実施形態のテープ送り制御と、従来方法のテープ送り制御と、を比較すると、本実施形態のテープ処理に係る全体の所要時間が６秒短縮される。